(57)【要約】  【課題】冷蔵庫の冷却器と庫内を仕切る断熱仕切りの表面は、配置される部屋との温度差の大きい、冷却器や冷却器から吐出された冷気により冷却されて結露や着霜の発生となるため発泡ポリスチレン等の断熱材の壁厚を大きくしたり、更には、結露着霜防止用ヒータを通電することで信頼性を確保してきた。そのため庫内容量の減少や、消費電力量の増加、コストが増加するという課題を有していた。  【解決手段】庫内と、庫内の一画に配置され冷却器１０７を収納する冷却室１０９を仕切る断熱仕切り部の断熱材として、発泡ポリスチレン等の断熱材と真空断熱材１２７を一体発泡したものを用いたものである。これによって、真空断熱材１２７の断熱効果で、冷却器１０７から庫内への熱伝導を大幅に抑えることができ、吸熱量および結露着霜防止用ヒータの通電率を下げることができるため、消費電力量を下げることができる。【選択図】図２
2008116161.tif 000002
【特許請求の範囲】
【請求項１】
庫内と、庫内の一画に配置され冷却器を収納する冷却室と、前記庫内と前記冷却室を仕切る断熱仕切り部とを備えて、前記断熱仕切り部の断熱材が、発泡ポリスチレン等の断熱材と真空断熱材を一体発泡したものであることを特徴とする冷蔵庫。
【請求項２】
前記断熱仕切り部内における真空断熱材の配置が、前記冷却器側に寄せて配置したことを特徴とする請求項１に記載の冷蔵庫。
【請求項３】
前記断熱仕切り部内における真空断熱材の配置が、前記庫内側に寄せて配置したことを特徴とする請求項１に記載の冷蔵庫。
【請求項４】
前記断熱仕切り部内における真空断熱材の配置が、前記断熱材に覆われて配置したことを特徴とする請求項１に記載の冷蔵庫。
【請求項５】
前記真空断熱材は、表面が金属箔の外被材を有したことを特徴とする請求項１から請求項４のいずれか一項に記載の冷蔵庫。
【請求項６】
前記真空断熱材がガスバリア性を有するラミネートフィルムで複数の芯材を覆い同一平面上の複数の独立空間に真空密封した真空断熱材であることを特徴とする請求項１から請求項５のいずれか一項に記載の冷蔵庫。
【請求項７】
前記真空断熱材の構成で、外被材がポリアクリル酸系樹脂層を有する構成等によりガスバリア性を向上した事を特徴とする請求項１から請求項６のいずれか一項に記載の冷蔵庫。
【請求項８】
前記断熱仕切り部は、少なくとも二部屋の庫内にまたがる冷却室を仕切る構成である事を特徴とする請求項１から請求項７のいずれか一項に記載の冷蔵庫。
【発明の詳細な説明】
【技術分野】
【０００１】
本発明は、真空断熱材を利用した冷蔵庫に関するものである。
【背景技術】
【０００２】
近年、冷蔵庫の大容量化の需要が高まるにつれて、無効空間縮小による容積効率の向上を図った冷蔵庫や、使い勝手の観点からさまざまなレイアウトの冷蔵庫が発売されている（例えば、特許文献１参照）。
【０００３】
以下、図面を参照しながら上記従来の冷蔵庫を説明する。
【０００４】
図１０と図１１には、特許文献１に記載されている冷蔵庫の正面図と側面断面図を示す。図１０と図１１おいて、１は冷蔵庫本体、２は冷蔵温度（＋５℃程度）に維持される冷蔵室、３は冷蔵室の下に設けられて冷凍温度帯から冷蔵、野菜、チルド等の温度帯に切り替え可能な切替室と、冷蔵室２の下で切替室３に並列に設けられた製氷室４、５は野菜などの乾燥を嫌う食品を収納するための野菜室とし、６は凍結温度（−２０℃程度）に冷却される冷凍室である。冷凍室の奥部は底壁２３が上向きに立ち上がる形状とされており、この底壁２３の後部外側には機械室１９が形成されている。
【０００５】
この機械室１９内には冷却システムを構成する圧縮機１７と、蒸発皿（図示せず）と、放熱用ファン（図示せず）及びコンデンサ（図示せず）が設置される。９は野菜室背面に配置される冷却室で、冷却器７と、冷却器７で冷却された冷気を循環させる冷気送風ファン８が収納されている。
【０００６】
１０は冷蔵庫本体１を上下に分割し冷蔵室２を区画する第１の仕切部、１１は第１の仕切部１０によって仕切られた冷蔵庫１の下側後方に冷却室９を区画する第２の仕切部、２１は第２の仕切部１１の前面を形成するファングリル、２０は第２の仕切部１１の後面を形成し冷気送風ファンから各部屋に冷気を送るための各送風帰還風路を形成するエアガイド、２２はファングリル２１と、エアガイド２０の間に設けられた成形断熱材である。１２は第１の仕切部で分割された冷蔵庫１の下側前方を上下に分割し切替室３及び製氷室４と野菜室を区画する第３の仕切部、１３は野菜室５及び冷却室９と冷凍室６を区画する第４の仕切部、１４は冷凍室６と野菜室５を仕切る冷蔵庫本体１の前縁部を構成する前縁仕切部である。
【０００７】
これによって、冷蔵室２、野菜室５、冷凍室６それぞれの部屋を使いやすい位置に配置し、使い勝手を向上させた冷凍冷蔵庫が実現する。使用頻度の高い野菜室５は、しゃがみ姿勢をせず取り出しやすい位置に配置してあり、使い勝手の向上が図られている。特に野菜は鮮度がすぐ悪くなることからすれば、常に鮮度を監視しなければならない。
【特許文献１】特開２００２−１３８６４号公報
【発明の開示】
【発明が解決しようとする課題】
【０００８】
しかしながら、上記従来の構成では冷却器及び冷却器から吐出された冷気が通る風路を形成する第２の仕切部の前面庫内と冷却室の温度差によって、第２の仕切部表面に結露もしくは着霜するという課題を有していた。特に第２の仕切部前面が野菜室等の高湿の場合、第２の仕切部の表面への結露もしくは着霜が明らかであるため、第２の仕切部において冷却器との断熱壁厚を大きくしたり、第２の仕切部表面にヒータを貼り付ける必要があった。必要に応じて、貼り付けたヒータの通電率を大きくすることで、表面に付着した結露及び着霜による水分を蒸発するか、または、常に仕切り部の表面温度を露点温度以上に確保する必要があった。そのため近年の冷蔵庫の大容量化及び設置スペース縮小の需要や、省エネに対するニーズに対しては、不十分であった。というのも、冷蔵庫の大容量化を図るには冷蔵庫断熱壁を薄肉化することや、無効スペースを無くすことが有効である。そのために真空断熱材などの高性能な断熱材を使用することで吸熱負荷量の増加を最小限にとどめている。第２の仕切部の断熱壁厚を大きくすることは、庫内容量の減少につながる。逆に庫内容量を維持するならば各部屋への風路面積を減少しなければならず、この場合、冷却能力の低下を招く可能性があるという課題を有す。また、ヒータ通電率を上げることでの加熱による結露および着霜を防止する場合は、ヒータ通電による消費電力量の増加に加えて、庫内への熱負荷としてコンプレッサーの運転率が上がり消費電力量が高くなるという課題を有していた。
【０００９】
また、前面が野菜室の場合は、ヒータの熱影響により背面部分に収納された野菜が、部分的に温度が高くなり、野菜の劣化を促進するという課題を有していた。
【００１０】
また、前面が野菜室の場合は、野菜室用のドアスイッチが無いことが多く、野菜室を開閉によって冷気送風ファンの運転は制御されないため、野菜室を空けた場合でもファンの風切り音が聞こえて騒音が非常に気になるという課題を有していた。
【００１１】
本発明は、上記の課題を解決するもので、冷却室との仕切り部の断熱性を向上できるため庫内容量の大きな冷蔵庫で、かつ省エネ性能の高く、静音性の優れた冷蔵庫を提供することを目的とする。
【課題を解決するための手段】
【００１２】
上記従来の課題を解決するために、本発明の冷蔵庫は、庫内と、庫内の一画に配置され冷却器を収納する冷却室を仕切る断熱仕切り部の断熱材として、発泡ポリスチレン等の断熱材と真空断熱材を一体発泡したものを用いたものである。
【００１３】
これによって、発泡ポリスチレン等の断熱材よりも熱伝導率の良い真空断熱材の影響で、庫内への冷却器からの熱伝導を抑えることができ、吸熱量およびヒータ通電率を下げることができ、消費電力量を下げることができる。
【発明の効果】
【００１４】
本発明の冷蔵庫は、冷却室と庫内を仕切る断熱仕切り部内の断熱材として、真空断熱材を一体で発泡した断熱材を用いることで冷却室前の部屋の吸熱量を低減できると共に、冷気送風ファン音の防音も行えるので、大容量での省エネと静音化を図ることができる。
【発明を実施するための最良の形態】
【００１５】
請求項１に記載の冷蔵庫は、庫内と、庫内の一画に配置され冷却器を収納する冷却室と、前記庫内と前記冷却室を仕切る断熱仕切り部とを備えて、前記断熱仕切り部の断熱材が、発泡ポリスチレン等の断熱材と真空断熱材を一体発泡したものである。
【００１６】
これによって、発泡ポリスチレン等の断熱材よりも熱伝導率の良い真空断熱材を混ぜることで、庫内への熱伝導を抑えることができ、吸熱量およびヒータ通電率を下げることができ、消費電力量を下げることができると共に、断熱仕切り部単体の剛性を上げることができるため、割れ等による歩留まりの向上をすることができる。
【００１７】
請求項２に記載の冷蔵庫は、断熱仕切り部内における真空断熱材の配置が、冷却器側に寄せて配置したものである。
【００１８】
これによって、断熱材の壁厚を薄くすることができるため、庫内容量を大きくすることができる。また真空断熱材の表面は熱伝導率の高いアルミ等の金属箔であるため、霜取り時においてヒータの熱を真空断熱材の表面を介して冷却器の上部まで伝えることができるので、効率よく霜取りを行え、霜取り時間の短縮化を図ることができる。
【００１９】
請求項３に記載の冷蔵庫は、断熱仕切り部内における真空断熱材の配置が、庫内側に寄せて配置したしたものである。
【００２０】
これによって、断熱材の壁厚を薄くすることができるため、庫内容量を大きくすることができる。また冷却器はフィンアンドチューブ方式を用いているものが多いが、庫内側に配置することで冷却器表面のフィンによる真空断熱材表面の傷付きを防止する事が出来るため、真空断熱材の信頼性を確保できる。
【００２１】
請求項４に記載の冷蔵庫は、断熱仕切り部内における真空断熱材の配置が、断熱材に覆われて配置したものである。
【００２２】
これによって、断熱材の剛性を上げることができるため、断熱仕切り部品の取り付け時においての割れ等による歩留まりの向上を図ることができる。また、真空断熱材周囲の外被材からの熱の回り込みを無くすことができるため、庫内への熱侵入を減らすことができ、ヒータの通電率低減を行うことができるため、消費電力量を下げることができる。
【００２３】
請求項５に記載の冷蔵庫は、断熱仕切り部内における真空断熱材の表面を金属箔の外被材を有したものである。これによって、ガスバリア性を向上できるため、真空断熱材の経時劣化が抑えられ、長期にわたって断熱性能を確保できる。
【００２４】
請求項６に記載の冷蔵庫は、断熱仕切り部内における真空断熱材をガスバリア性を有するラミネートフィルムで複数の芯材を覆い同一平面上の複数の独立空間に真空密封した真空断熱材とすることで、複雑な形状においても真空断熱材を形成できるため、断熱仕切り部内において真空断熱材の被覆率を大きくすることができ、ヒータの通電率を下げることができ消費電力量を下げることができる。
【００２５】
請求項７に記載の冷蔵庫は、真空断熱材の外被材の構成を少なくとも蒸着層と、蒸着層に隣接したポリアクリル酸系樹脂層を有する構成とすることによりガスバリア性を向上できるため、真空断熱材の経時劣化が抑えられ、長期にわたって断熱性能を確保できる。
【００２６】
請求項８に記載の冷蔵庫は、真空断熱材を一体発泡した断熱仕切り部を、少なくとも二部屋の庫内にまたがる冷却室を仕切る構成としたものである。これによって、上限方向に配置し沿面距離を取った真空断熱材によって、冷却器からの冷熱は庫内への回り込みを低減できる。
【００２７】
以下、本発明の実施の形態について、図面を参照しながら説明する。なお、この実施の形態によってこの発明が限定されるものではない。
【００２８】
（実施の形態１）
図１は本発明の実施の形態１による冷蔵庫の斜視図である。図２は本発明の実施の形態１による冷蔵庫の側面断面図である。図３は本発明の実施の形態１による断熱材に使用する真空断熱材の断面図である。図４は本発明の実施の形態１による断熱材の断面図である。図５は本発明の実施の形態１による真空断熱材と発泡ポリスチレンの一体発泡工程図である。図６は本発明の実施の形態１による真空断熱材と発泡ポリスチレンの横型の一体発泡工程図である。
【００２９】
図１から図４に示すように、冷蔵庫本体１０１は、前方に開口する金属製（例えば鉄板）の外箱１１５と硬質樹脂製（例えばＡＢＳ）の内箱１１６と、外箱１１５と内箱１１６の間に発泡充填されたウレタン断熱材１２４からなる断熱箱体で、この本体の上部に設けられた冷蔵室１０２と、冷蔵室の下に設けられて冷凍温度帯から冷蔵、野菜、チルド等の温度帯に切り替え可能な切替室１０３と、冷蔵室１０２の下で切替室１０３に並列に設けられた製氷室１０４と、本体下部に設けられた冷凍室１０６と、並列に設置された切替室１０３及び製氷室１０４と冷凍室１０６の間に設けられた野菜室１０５で構成されている。切替室１０３と製氷室１０４と野菜室１０５と冷凍室１０６の前面部は引き出し式の図示しない扉により開閉自由に閉塞されると共に、冷蔵室１０２の前面は、例えば観音開き式の図示しない扉により開閉自由に閉塞される。
【００３０】
冷蔵室１０２は冷蔵保存のために凍らない温度を下限に通常１〜５℃で設定されている。野菜室１０５は冷蔵室１０２と同等もしくは若干高い温度設定の２℃〜７℃とすることが多い。低温にすれば葉野菜の鮮度を長期間維持することが可能である。冷凍室１０６は冷凍保存のために通常−２２から−１８℃で設定されているが、冷凍保存状態の向上のために、たとえば−３０から−２５℃の低温で設定されることもある。
【００３１】
冷蔵室１０２や野菜室１０５は庫内をプラス温度で設定されるので、冷蔵温度帯を呼ばれる。また、冷凍室１０６や製氷室１０４は庫内をマイナス温度で設定されるので、冷凍温度帯を呼ばれる。
【００３２】
冷蔵庫本体１０１の天面部は、冷蔵庫の背面方向に向かって階段状に凹みを設けて機械室１１９があり、第一の天面部と第二の天面部で構成されている。この階段状の凹部に配置された圧縮機１１７と、水分除去を行うドライヤ（図示せず）と、コンデンサ（図示せず）と、放熱用の放熱パイプ（図示せず）と、キャピラリーチューブ１１８と、冷却器１０７とを順次環状に接続してなる冷凍サイクルに冷媒を封入し、冷却運転を行う。前記冷媒には近年、環境保護のために可燃性冷媒を用いることが多い。
【００３３】
また、冷蔵室１０２と製氷室１０４および切替室１０３とは第一の仕切り部１１０で区画されている。第一の仕切り部１１０は必要に応じて、例えば切替室１０３が冷凍温度帯のみの場合では、例えば発泡ウレタンのような断熱材を用いた断熱仕切りとしても良く、また、冷蔵温度帯のみとして構成される場合ならば断熱をなくし、仕切りを極力薄くすることで庫内容量を大きくしてもよい。この場合、冷蔵室の冷気により冷却することとなる。
【００３４】
また、製氷室１０４および切替室１０３と、野菜室１０５とは第三の仕切り部１１２で区画されている。
【００３５】
また、野菜室１０５と冷凍室１０６とは第四の仕切り部１１３で区画されている。第四の仕切り部１１３は、冷蔵庫本体１０１の発泡後組み立てられる部品であるため、通常断熱材として発泡ポリスチレン１２６が使われるが、断熱性能や剛性を向上させるために硬質発泡ウレタンを用いてもよく、更には高断熱性の真空断熱材を挿入して、仕切り構造のさらなる薄型化を図ってもよい。
【００３６】
冷蔵庫本体１０１の背面には、冷却室１０９が設けられ、冷却室１０９は仕切りとしての断熱性を有する第二の仕切り部１１１で野菜室１０５から区画されている。この第二の仕切り部の断熱材は、真空断熱材１２７と発泡ポリスチレン１２６とからなり、真空断熱材１２７の周囲の発泡ポリスチレン１２６の原料を発泡させて、真空断熱材１２７を発泡ポリスチレン１２６で覆い真空断熱材１２７と発泡ポリスチレン１２６とを一体化させてなるものである。第二の仕切り部の庫内側表面にはポリプロピレン等の断熱材を覆う樹脂部品である、仕切りカバー１３５が配設されている。
【００３７】
ここで、真空断熱材１２７と発泡ポリスチレン１２６の一体発泡工程について図５を用いて説明する。真空断熱材１２７に発泡ポリスチレン１２６と接着可能なアクリル系、エポキシ系の接着剤を塗布すると共に発泡ポリスチレン１２６の原料ビーズ１３１を予備発泡させる。次に、一体発泡用の金型１３２に予備発泡した原料ビーズ１３１を一部充填しその上に接着剤を塗布した真空断熱材１２７を配置し、その上から更に予備発泡した原料ビーズ１３１を充填する。その後、金型１３２を閉じ、蒸気過熱を行う。摂氏１１５〜１２５℃程度の蒸気が、蒸気穴入口より入り、蒸気穴出口より出ることにより、原料ビーズ１３１が膨張して金型面通りの断熱材が作製される。
【００３８】
また、真空断熱材１２７は、２枚の外被材１２８を向かい合わせて芯材１３０を覆い、内部を真空まで減圧して周囲を熱溶着により封止したものであり、言い換えると、芯材１３０をラミネートフィルムで構成された２枚の外被材１２８で覆って外被材１２８の内部を減圧密封してなるものであり、一般的な真空断熱材と特に変わるものではない。
【００３９】
芯材１３０は無機繊維としては、グラスウール、グラスファイバー、アルミナ繊維、シリカアルミナ繊維、シリカ繊維、ロックウール、炭化ケイ素繊維等特に指定するものではない。
【００４０】
また、外被材１２８の袋形状は、四方シール袋、ガゼット袋、三方シール袋、ピロー袋、センターテープシール袋等があるが、特に指定するものではない。
【００４１】
また、真空断熱材１２７の初期断熱性能および経時断熱性能をより一層向上させる場合は、ガス吸着剤や水分吸着剤等のゲッター物質を使用することも可能である。その吸着機構は、物理吸着、化学吸着、および吸蔵、収着等のいずれでもよいが、非蒸発型ゲッターとして作用する物質が良好である。
【００４２】
また、第二の仕切り部内で、庫内に送風される冷気のダクトを構成しても良い。
【００４３】
冷却室１０９内には、代表的なものとしてフィンアンドチューブ式の冷気を生成する冷却器１０７が断熱仕切壁である第二の仕切り部１１１の後方領域を含めて野菜室１０５の背面に上下方向に縦長に配設されている。また、冷却器１０７の材質は、アルミや銅が用いられる。
【００４４】
冷却器１０７の近傍（例えば上部空間）には強制対流方式により冷蔵室１０２，製氷室１０４、切替室１０３、冷凍室１０６，野菜室１０５の各部屋に冷却器１０７で生成した冷気を送風する冷気送風ファン１０８が配置され、冷却器１０７の下部空間には冷却時に冷却器１０７や冷気送風ファン１０８に付着する霜を除霜する除霜装置としてのガラス管製のラジアントヒータ（図示せず）が設けられている。除霜装置は特に指定するものではなく、ラジアントヒータの他に、冷却器１０７に密着したパイプヒータを用いても良い。
【００４５】
冷気送風ファン１０８は、内箱１１６に直接配設されることもあるが、発泡後に組み立てられる第二の仕切り部に配設し、部品のブロック加工を行うことで製造コストの低減を図ることもできる。
【００４６】
以上のように構成された冷蔵庫について、以下その動作、作用について説明する。
【００４７】
本実施の形態のように、冷凍室１０６が下方に設置され、冷蔵室１０２を上方に配置し、冷却室１０９の前面に野菜室１０５が配置された冷蔵庫のレイアウト構成が使い勝手の観点からよく用いられている。また、圧縮機１１７を天面奥部に配設した構成の冷蔵庫も、使い勝手の観点と庫内容量向上の点から用いられる。
【００４８】
次に冷蔵庫の冷却作用について説明する。
【００４９】
例えば冷凍室１０６が外気からの侵入熱およびドア開閉などにより、庫内温度が上昇して冷凍室センサ（図示せず）が起動温度以上になった場合に、圧縮機１１７が起動し冷却が開始される。圧縮機１１７から吐出された高温高圧の冷媒は、最終的に機械室１１９に配置されたドライヤ（図示せず）まで到達する間、特にコンデンサー（図示せず）や外箱１１５に設置される放熱パイプ（図示せず）において、外箱１１５の外側の空気や庫内のウレタン断熱材１２４との熱交換により、冷却されて液化する。
【００５０】
次に液化した冷媒はキャピラリーチューブ１１８で減圧されて、冷却器１０７に流入し冷却器１０７周辺の庫内空気と熱交換する。熱交換された冷気は、近傍の冷気送風ファン１０８により庫内に冷気が送風され庫内を冷却する。この後、冷媒は加熱されガス化して圧縮器１１７に戻る。庫内が冷却されて冷凍室センサ（図示せず）の温度が停止温度以下になった場合に圧縮機１１７の運転が停止する。
【００５１】
冷却器１０７は、圧縮機１１７の運転に同期して、冷凍サイクルを流れた冷媒が蒸発するため、冷蔵庫の中で最も温度の低い部分となる。その温度は条件にもよるが通常、−３０℃から−２０℃ぐらいである。超冷凍の場合には、−３０℃以下になる場合もある。このとき、冷却器１０７を含む冷却室１０９の前面の部屋である野菜室１０５は２℃〜７℃で設定されることが多く、冷却器１０７と野菜室１０５の温度差は２２℃から３７℃にもなる。この場合の冷却室１０９を仕切る第２の仕切り部１１１表面は、断熱材を発泡ポリスチレン１２６のみで構成する場合、冷却器１０７が−２５℃、野菜室１０５が５℃の場合は０．７℃となる（厚み３０ｍｍの場合）。野菜室１０５は保存される野菜の量にもよるが、通常８５％程度の湿度が保たれている。よって、温度５℃で湿度８０％の露点温度は１．８℃であるため、仕切り部表面が結露してしまう。
【００５２】
（表１）は断熱材が発泡ポリスチレン１２６とした場合の、冷却器温度−２５℃と野菜室温度５℃における断熱材の表面温度一覧である。（表１）より前記条件の場合、表面温度が露点温度以上を得るのに必要な発泡ポリスチレン１２６の断熱厚みは４５ｍｍである。しかし、発泡ポリスチレン中に真空断熱材を入れ一体発泡することにより、同条件において露点温度以上を得るのに必要な断熱厚みは、真空断熱材１２７の厚みを５ｍｍとすれば発泡ポリスチレン１２６の厚みは原料ビーズ１３１の寸法から決定される最低壁厚とすることができる。
【００５３】
よって、野菜室１０５のような高湿な庫内と、庫内の背面に配置された冷却室１０９を仕切る第２の仕切り部１１１の断熱材を、発泡ポリスチレン等の断熱材と真空断熱材１２７を一体発泡したものとすることにより、熱伝導率が約０．０４６（Ｗ／ｍＫ）である発泡ポリスチレン１２６よりも熱伝導率が０．００８から０．０００５（Ｗ／ｍＫ）と非常に優れている真空断熱材１２７の影響で、庫内への熱伝導を抑えることができ、吸熱量および結露防止用ヒータの通電率を下げることができ、消費電力量を下げることができると共に、断熱仕切り部単体の剛性を上げることができるため、割れ等による歩留まりの向上をすることができる。特に第２の仕切り部１１１のように冷却室１０９と庫内を仕切る部品は、寸法や重量の大きいものが多く単品のコストが高いため、歩留まりの悪さは直接、製造コストに影響を及ぼす。
【００５４】
【表１】
2008116161.tif 000003
【００５５】
また、図６のように発泡ポリスチレン１２６内における真空断熱材１２７の配置を端面で接する構成とする場合は、発泡ポリスチレン１２６の生成工程で蒸気の出入口を変更することにより、第２の仕切り部１１１の断熱材の壁厚を薄くすることができるため庫内容量を例えば５Ｌ程度大きくすることができる。さらに、使用する材料費も低減できるため材料コストも低減できるとともに、生成工数も低減できる。
【００５６】
また、仕切り部内における真空断熱材１２７の配置を冷気送風ファン１０８の前面位置とすることで、真空断熱材１２７を透過する騒音は、発泡ポリスチレンに比べて単体の剛性の高い複合材料から構成される真空断熱材１２７によりファンからの空気振動は減衰され、冷気送風ファン１０８と断熱材自身の共振によるビビリもマス的効果で低減でき、防音効果により冷気送風ファン１０８の風切り音や振動を低減できる。
【００５７】
真空断熱材１２７は冷却器１０７側に配設されており、真空断熱材１２７の外被材であるアルミ金属によって霜取り時にラジアントヒータ等の除霜熱を冷却器上部まで伝達できるため、霜取りを効率よく行い、ヒータの通電時間を短くして消費電力量の低減を図ることができる。
【００５８】
また、真空断熱材１２７を発泡ポリスチレン１２６と接着面（図示せず）において接着することで、真空断熱材１２７と発泡ポリスチレン１２６の間に結露等により水が溜まることによる発泡ポリスチレン１２６の劣化、断熱材としての性能低下、真空断熱材１２７への水の侵入による性能低下を抑えることができる効果が得られる。
【００５９】
また、真空断熱材１２７をガスバリア性を有するラミネートフィルムで複数の芯材を覆い同一平面上の複数の独立空間に真空密封した真空断熱材とすることで、複雑な形状においても最適な真空断熱材１２７を形成できるため、仕切り部内において真空断熱材１２７の被覆率を大きくすることができ、ヒータの通電率を下げることができ消費電力量を下げることができる。
【００６０】
また、真空断熱材１２７の芯材１３０を被覆するラミネートフィルムからなる外被材１２８の構成の中で、少なくとも蒸着層１２９と、蒸着層１２９に隣接したポリアクリル酸系樹脂層を有した構成としたものであり、真空断熱材１２７のガスバリア性を向上できるため、真空断熱材１２７の経時劣化が抑えられ、長期にわたって断熱性能を確保できる。発泡ポリスチレン生成時の蒸気の温度は、摂氏約１１５〜１２５℃程度であり、真空断熱材１２７の蒸着時の温度は摂氏約１２０〜１３０℃ぐらいであるが、外被材１２８の構成でポリアクリル酸系樹脂層を有した構成とすることで、温度を摂氏約１４０〜１５０℃ぐらいとすることができる。
【００６１】
（実施の形態２）
図７は、本発明の実施の形態２における断熱材の断面図を示すものである。なお、背景技術と同一構成については同一符号を付す。
【００６２】
図７において、第二の仕切り部２１１内における真空断熱材２２７を仕切り部内の庫内側に配設したものである。
【００６３】
これによって断熱材の壁厚を薄くすることができるため、庫内容量を大きくすることができる。また冷却器はフィンアンドチューブ方式を用いているものが多いが、真空断熱材２２７の外被材２２８を仕切りカバー２３５に密着させて配置、すなわち庫内側に寄せて配置することで冷却器２０７表面のフィンによる真空断熱材２２７表面の傷付きを防止する事が出来るため、真空断熱材２２７の破れ等による信頼性を確保できる。
【００６４】
なお、冷気送風ファン１０８の風切り音や振動を断熱材中で一旦、発泡ポリスチレン２２６を通過中に減衰されつつ、再度真空断熱材２２７で遮音する効果を有する。
【００６５】
（実施の形態３）
図８は、本発明の実施の形態３における断熱材の断面図を示すものである。なお、背景技術と同一構成については同一符号を付す。
【００６６】
図８において、第二の仕切り部内において、真空断熱材３２７を仕切りカバー３３５と離して配置、すなわち真空断熱材３２７の配置が、断熱材に覆われて配置されるようにしたものである。
【００６７】
これによって、第二の仕切り部３１１の剛性を上げることができるため、第二の仕切り部３１１の部品の取り付け時においての割れ等による歩留まりの向上を図ることができる。また、真空断熱材３２７周囲の外被材３２８からの熱の回り込みを無くすことができるため、野菜室３０５への熱侵入を減らすことができ、ヒータの通電率低減を行うことができるため、消費電力量を下げることができる。
【００６８】
なお、真空断熱材３２７を発泡ポリスチレン３２６で覆うため、真空断熱材３２７のピンホールによる性能劣化を抑えることができる。
【００６９】
（実施の形態４）
図９は、本発明の実施の形態４における冷蔵庫の側面断面図を示すものである。なお、背景技術と同一構成については同一符号を付す。
【００７０】
図９において、冷蔵庫本体４０１の背面には、野菜室４０５と冷凍室４０６の両室の背面にまたがって冷却室４０９が設けられ、冷却室４０９は仕切りとしての断熱性を有する第二の仕切り部４１１で野菜室４０５および冷凍室４０６から区画されている。冷却器４０７も野菜室４０５と冷凍室４０６両室の背面にまたがって上下方向に縦長に配設してある。
【００７１】
これによって、上限方向に配置し沿面距離を取った真空断熱材４２７によって、冷却器４０７からの冷熱や、霜取り時におけるヒータからの熱の庫内への回り込みを低減できる。
【産業上の利用可能性】
【００７２】
以上のように、本発明にかかる冷蔵庫は、庫内と、庫内の一画に配置された冷却室を仕切る仕切り部の断熱材に、発泡ポリスチレン等の断熱材と真空断熱材を一体発泡したものを用いたものである。これにより冷熱の熱伝導を抑制できるため、吸熱量および結露防止用ヒータの通電率を下げることができ、消費電力量を低減できると共に庫内容量を増加ができるので、温度差のある部屋に断熱仕切り部を持つ冷凍機器全般にも適用できる。
【図面の簡単な説明】
【００７３】
【図１】本発明の実施の形態１を説明する冷蔵庫の斜視図
【図２】本発明の実施の形態１を説明する冷蔵庫の側面断面図
【図３】本発明の実施の形態１による断熱材に使用する真空断熱材の断面図
【図４】本発明の実施の形態１による断熱材の断面図
【図５】本発明の実施の形態１による真空断熱材と発泡ポリスチレンの一体発泡工程図
【図６】本発明の実施の形態１による真空断熱材と発泡ポリスチレンの横型の一体発泡工程図
【図７】本発明の実施の形態２による断熱材の断面図
【図８】本発明の実施の形態３による断熱材の断面図
【図９】本発明の実施の形態４を説明する冷蔵庫の側面断面図
【図１０】従来の冷蔵庫を説明する正面図
【図１１】従来の冷蔵庫を説明する側面断面図
【符号の説明】
【００７４】
１０１，４０１  冷蔵庫本体
１０２  冷蔵室
１０３  切替室
１０４  製氷室
１０５，３０５，４０５  野菜室
１０６，４０６  冷凍室
１０７，２０７，４０７  冷却器
１０８  冷気送風ファン
１０９，４０９  冷却室
１１１，２１１，３１１，４１１  第二の仕切り部
１２７，２２７，３２７，４２７  真空断熱材
１２８，２２８，３２８  外被材
１３０  芯材
【図１】
2008116161.tif 000004
【図２】
2008116161.tif 000005
【図３】
2008116161.tif 000006
【図４】
2008116161.tif 000007
【図５】
2008116161.tif 000008
【図６】
2008116161.tif 000009
【図７】
2008116161.tif 000010
【図８】
2008116161.tif 000011
【図９】
2008116161.tif 000012
【図１０】
2008116161.tif 000013
【図１１】
2008116161.tif 000014